(57)【特許請求の範囲】
【請求項１】
付勢部材によって後方へ付勢されている押子であって、その付勢力に抗する前方へのスライドに伴って軸筒求心方向へ沈み込んで軸筒周壁の係止部に係止される押子と、該押子に一体的に支持されたクリップと、そのクリップの支持点よりも前方側であって該クリップと軸筒周面との間に配置された玉部とを備え、前記押子を前記係止部に係止させることで筆記部を突出状態に維持し、同押子を前記係止部から外し後方へスライドさせることで筆記部を没入させるようにした出没式筆記具において、
前記クリップにおける前記玉部よりも前端側に、前記押子が前記係止部に係止された際に軸筒外周面に対し接触または近接する突部を設けたことを特徴とする出没式筆記具。
【請求項２】
上記突部は、上記玉部を前方へ延長した場合の仮想延長部に対し、軸筒周方向へずれた部分を有することを特徴とする請求項１記載の出没式筆記具。
【請求項３】
上記突部は、上記仮想延長部の軸筒周方向両側に位置する部分を有することを特徴とする請求項２記載の出没式筆記具。
【請求項４】
上記突部は、上記仮想延長部の軸筒周方向両側に位置する両側部と、これら両側部を連結する連結部とから略一体的に形成されていることを特徴とする請求項３記載の出没式筆記具。
【請求項５】
上記突部の突端面を略平坦状に形成したことを特徴とする請求項１乃至４何れか１項記載の出没式筆記具。
【請求項６】
上記クリップを後方へスライドさせた際に、上記突部と上記軸筒の外周面との間に隙間が形成されるように、上記軸筒における上記突部と対向する位置を部分的に軸筒求心方向へ凹ませていることを特徴とする請求項１乃至５何れか１項記載の出没式筆記具。
【発明の詳細な説明】
【技術分野】
【０００１】
本発明は、クリップと一体的な押子を進退させる操作により、ボールペンチップやシャープペンシル先端部等の筆記部を軸筒の先端から出没させるようにした出没式筆記具に関するものである。
【背景技術】
【０００２】
従来、この種の筆記具には、例えば特許文献１に記載された発明のように、複数の押子（３０，４２）や、各押子に対応する複数の筆記部（２１，２１）を備えた多色の出没式筆記具がある。
この筆記具によれば、押子（４２）と一体的なクリップ（４０）が前方へスライド操作されると、前方へスライドした押子（４２）が軸筒求心方向へ沈み込んで軸筒周壁の係止部（１２）に係止され、シャープペンシル用リフィール（２０）の筆記部（２１）の突出状態が維持される。
また、他の押子（３０）の操作により前記押子（４２）の係止状態が解除されると、前記押子（４２）及びクリップ（４０）が付勢部材（５２）の付勢力によって後方へスライドし、前記筆記部（２１）が没入状態になる。
【０００３】
しかしながら、上記従来技術によれば、図６（ａ）（ｂ）に示すように、シャープペンシル用リフィール（２０）の筆記部を突出状態にした後、クリップ（４０）の前端側が軸筒求心方向へ押圧されると、クリップ（４０）および押子（４２）の後端側がクリップ（４０）の玉部（４１ａ）を支点にして軸筒遠心方向へ持ち上げられ、押子（４２）が上記係止部（１２）から外れて後退し、シャープペンシル用リフィール（２０）の筆記部が没入してしまう場合がある。
したがって、例えば使用者の指等がクリップ（４０）の前端側に触れて、クリップ（４０）の前端側が軸筒求方向へ押圧された場合等のように、使用者が意図していないのに、筆記部（２１）が没入してしまうおそれがあった。
【特許文献１】特開２００５−１１１８７６号公報
【発明の開示】
【発明が解決しようとする課題】
【０００４】
本発明は上記従来事情に鑑みてなされたものであり、その課題とする処は、筆記部の突出状態が意図せずに解除されてしまうのを防ぐことができる出没式筆記具を提供することにある。
【課題を解決するための手段】
【０００５】
上記課題を解決するために第一の発明は、付勢部材によって後方へ付勢されている押子であって、その付勢力に抗する前方へのスライドに伴って軸筒求心方向へ沈み込んで軸筒周壁の係止部に係止される押子と、該押子に一体的に支持されたクリップと、そのクリップの支持点よりも前方側であって該クリップと軸筒周面との間に配置された玉部とを備え、前記押子を前記係止部に係止させることで筆記部を突出状態に維持し、同押子を前記係止部から外し後方へスライドさせることで筆記部を没入させるようにした出没式筆記具において、前記クリップにおける前記玉部よりも前端側に前記押子が前記係止部に係止された際に、軸筒外周面に対し接触または近接する突部を設けたことを特徴とする。
【０００６】
ここで、上記玉部とは、上記クリップと軸筒外周面との間に紙や布等の被挟持物が挟まれた際に、被挟持物を押圧する突起であればよく、この玉部には、クリップ側に設けるようにした態様と、軸筒側に設けるようにした態様との双方を含む。
【０００７】
また、第二の発明では、上記突部は、上記玉部を前方へ延長した場合の仮想延長部に対し、軸筒周方向へずれた部分を有することを特徴とする。
【０００８】
また、第三の発明では、上記突部は、上記仮想延長部の軸筒周方向両側に位置する部分を有することを特徴とする。
【０００９】
また、第四の発明では、上記突部は、上記仮想延長部の軸筒周方向両側に位置する両側部と、これら両側部を連結する連結部とから略一体的に形成されていることを特徴とする。
【００１０】
この第四の発明における突部は、例えば、上記両側部と上記連結部とからなる断面略Ｕ字状や、断面略凹字状、断面略Ｈ字状等とすることができる。
【００１１】
また、第五の発明では、上記突部の突端面を略平坦状に形成したことを特徴とする。
【００１２】
また、第六の発明では、上記クリップを後方へスライドさせた際に、上記突部と上記軸筒の外周面との間に隙間が形成されるように、上記軸筒における上記突部と対向する位置を部分的に軸筒求心方向へ凹ませていることを特徴とする。
【発明の効果】
【００１３】
本発明は、以上説明したように構成されているので、以下に記載されるような作用効果を奏する。
第一の発明によれば、クリップ部および押子を前方へスライドさせて、押子を軸筒周壁の係止部に係止させれば、その係止により、筆記部が突出状態に維持される。
この筆記部の突出状態において、クリップの先端側が軸筒求心方向へ押圧されたとしても、クリップ先端側の突部が軸筒外周面に当接するため、クリップおよび押子の後端側が玉部を支点にして軸筒遠心方向へ持ち上げられて、押子の係止状態が解除されてしまうのを防ぐことができる。
よって、使用者の指がクリップの先端側に触れる等して、筆記部の突出状態が意図せずに解除されてしまうのを防ぐことができる。
しかも、クリップと軸筒外周面との間に被挟持物を挟み込んだ際には、その被挟持物が軸筒の軸方向において玉部と上記突部との少なくとも二箇所で押圧されるため、その被挟持物を、容易に抜けてしまうことがないように、確りと挟持することができる。
【００１４】
その上、第二の発明によれば、クリップと軸筒外周面との間に被挟持物を挟み込んだ際に、その被挟持物が、軸筒の軸方向において玉部と上記突部との少なくとも二箇所で押圧され、更に軸筒周方向においても玉部と上記突部との少なくとも二箇所で押圧されるため、被挟持物を、一層確りと挟持することができる。
【００１５】
更に、第三の発明によれば、クリップと軸筒外周面との間に被挟持物を挟み込んだ際には、その被挟持物が突部を構成する二箇所の部分により押圧され、しかも、その二箇所の部分が玉部よりも幅広く配置されているため、被挟持物を、より確りと挟持することができる。
【００１６】
更に、第四の発明によれば、クリップと軸筒外周面との間に被挟持物を挟み込んだ際に、被挟持物が連結部によっても押圧されるため、被挟持物を、より確りと挟持することができる。
【００１７】
更に、第五の発明によれば、突部の突端が被挟持物に接触した際の接触面積を比較的広く確保することができるため、その摩擦抵抗によって、挟持された被挟持物が容易に抜けてしまうのを防ぐことができる。
【００１８】
更に、第六の発明によれば、クリップが後退位置にある際に、該クリップ先端の突部と軸筒外周面との間に隙間が形成され、クリップが前進位置にある際には、該クリップ先端の突部と軸筒外周面とが接触または近接することになる。
したがって、クリップが前進位置にある際には、該クリップと一体的な押子の係止状態を確実に維持することができる上、クリップが後退位置にある際には、該クリップと軸筒外周面との間への被挟持物の挿入を、容易にすることができる。
【発明を実施するための最良の形態】
【００１９】
以下、本発明の実施の形態を図面に基づいて説明する。
この出没式筆記具Ａは、先端部からボールペン用の筆記部２１やシャープペンシル用の筆記部２１’を出没させる軸筒１０と、付勢部材６１の付勢力に抗する前方へのスライドに伴って軸筒求心方向へ沈み込んで軸筒周壁の係止部１２に係止される複数の押子３０，４０と、これら押子の内の一つの押子４０に一体的に支持されたクリップ５０とを備えている。
そして、この出没式筆記具Ａは、各押子３０（又は４０）を前記係止部１２に係止させることで対応する筆記部２１（又は２１’）を突出状態に維持し、同押子３０（又は４０）を前記係止部１２から外し後方へスライドさせることで筆記部２１（又は２１’）を没入させるように構成してある。
【００２０】
軸筒１０は、軸方向に貫通された略長尺筒状を呈し、その先端側を先細状に形成した周知の部材である。
この軸筒１０は、単一の部材から構成されていてもよいし、複数の部材を軸方向に連結して構成してもよい。また、先端側の先細状部分（図示せず）を、先口部として別体の部材から形成していてもよい。
この軸筒１０の後端側の周壁には、後述する複数の押子３０を進退可能に露出させるように、軸筒軸方向へ長尺な案内孔１１が複数貫通形成されている。
【００２１】
また、軸筒１０の内周面には、前方へスライドした際の各押子３０（又は４０）を係止するための係止部１２が複数形成されている。
この係止部１２は、図示例によれば、案内孔１１の略後半部を、その内部側（軸筒軸心側）の部分で幅狭に形成することで、その幅狭な部分の前端に略段付状に形成された部位である。
そして、この係止部１２は、各案内孔１１の長さ方向の略中間位置において、前方へスライドして軸筒求心方向へ沈み込んだ際の各押子３０の後端側部分を係止する。
【００２２】
また、軸筒１０の外周面には、後退した際のクリップ５０の玉部５１に対向するように補助玉部１３が突設されている。
補助玉部１３は、軸筒軸方向へわたる一枚板状の突起であり、図示した好ましい一例によれば側面視略山形状に形成されている。
この補助玉部１３は、後述するクリップ５０の玉部５１と重なり合うようにして係合することで、クリップ５０の前端側に軸筒周方向の力が作用した際に、玉部５１を受けて、クリップ５０の破損を防止し、更に、クリップ５０が進退する際には、進退するクリップ５０を案内するガイド部材として機能する。
更に、この補助玉部１３は、クリップ５０と軸筒１０外周面との間に被挟持物ｘ（図４及び５参照）が挟み込まれた際には、クリップ５０の玉部５１や後述する突部５２と協働して、被挟持物ｘを容易に抜けてしまうことがないように確りと挟持する。
【００２３】
また、軸筒１０外周面における補助玉部１３よりも前端側には、クリップ５０が後退位置（図１（ａ）の位置）にある際に、クリップ５０前端の突部５２と軸筒１０外周面との間に若干の隙間ｓが形成されるように、軸筒１０における突部５２と対向する位置に部分的に平坦面１４を形成し、該平坦面１４の箇所が軸筒１０における他の箇所よりも軸筒求心方向へ凹むようにしている。
【００２４】
前記隙間ｓは、クリップ５０が後退位置（図１（ａ）の位置）にある際に、該クリップ５０と軸筒１０外周面との間に被挟持物ｘを挿入し易くするためのものであり、想定される被挟持物ｘの厚みを考慮して適宜寸法に設定されている。
この隙間ｓについて、より詳細に説明すれば、例えば図６に示す従来技術では、クリップ（４０）と軸筒外周面との間に、紙や衣類等の被挟持物が挿入され易いように、玉部（４１ａ）をクリップ（４０）の先端部よりも後方へ配置することで、クリップ（４０）の先端と軸筒外周面との間に隙間（ｓ’）を確保していた。
しかしながら、本実施の形態の出没式筆記具Ａでは、前進位置にある際のクリップ５０先端の突部５２を軸筒１０外周面に接触または近接させる必要性があるため、軸筒１０外周に上記平坦面１４を設け、クリップ５０が後退位置（図１（ａ）の位置）にある際には、突部５２と平坦面１４との間に隙間ｓを確保し、同クリップ５０が前進位置（図１（ｂ）の位置）にある際には、突部５２を軸筒１０の外周面に略接触させるようにしている。
【００２５】
なお、平坦面１４には、前記のように隙間ｓを確保するという作用効果以外に、挟持された際の被挟持物ｘとの接触面積を増やして、その摩擦抵抗により該被挟持物ｘが容易に抜けてしまうのを防ぐという作用効果もある。
そして、前記平坦面１４の前端側には、断面略Ｒ加工状の凹曲面１５が形成され、この凹曲面１５によって、平坦面１４と、該平坦面１４よりも前方側の軸筒１０外周面とが、滑らかに連続している。
これら平坦面１４及び凹曲面１５の長さは、クリップ５０が前進した際に、該クリップ５０前端の突部５２が、乗り上げるようにして凹曲面１５よりも前方側の軸筒１０外周面に圧接されるように、適宜設定されている。
【００２６】
また、押子３０は、ボールペン用の筆記部２１を進退操作するための押子である。
この押子３０は、その前端部に、ボールペン用のリフィール２０の後端へ嵌合する先端嵌合部３１を有するとともに、その後端部には、軸筒１０の案内孔１１から外部に突出される操作突部３２を有する。
更に、同押子３０は、その最後端部に、軸筒１０の係止部１２に係止させるため係止突起３３を有する。
この押子３０の軸筒軸心側の部位は、前記係止突起３３を係止部１２に係止させた係止状態で他の押子３０（又は４０）が前進した際に、その前進した押子３０（又は４０）によって干渉されることで、軸筒遠心方向へ押されて前記係止状態が解除されるように形成してある。
【００２７】
また、押子４０は、シャープペンシル用の筆記部２１’を進退操作したり、筆記部２１から鉛芯を繰出させるノック操作をしたりするための押子である。
この押子４０は、その前端部に、シャープペンシル用のリフィール２０’の後端へ嵌合する先端嵌合部４１を有するとともに、その後端部には、軸筒１０の案内孔１１から外部に突出されて、クリップ５０を接続する接続部４２を有する。
更に、同押子４０は、その最後端部に、軸筒１０の係止部１２に係止させるため係止突起４３を有する。
この押子４０は、前記係止突起４３を係止部１２へ係止させた状態で、鉛芯繰出し操作のために、更に前方へスライドするように設けられている。
この押子４０の軸筒軸心側の部位は、前記係止突起３３を係止部１２に係止させた係止状態で他の押子３０が前進した際に、その前進した押子３０によって干渉されることで、軸筒遠心方向へ押されて前記係止状態が解除されるように形成してある。
【００２８】
そして、上記構成の押子３０，４０の各々は、その前方側から付勢部材６１によって付勢されている。
付勢部材６１は、図示例によればコイル状の圧縮バネであり、その前端面を貫挿支持部材６２に当接させるとともに、後端面により押子３０（又は４０）を後方へ付勢している。
前記貫挿支持部材６２は、リフィール２０及び２０’をそれぞれスライド自在に貫挿させて支持する部材であり、軸筒１０の内周面に嵌合固定されている。
なお、図示例によれば、各押子３０（又は４０）を付勢部材６１によって後方へ弾発する構造としているが、各押子３０（又は４０）よりも後方側に付勢部材６１を設け、該付勢部材６１によって各押子３０（又は４０）を引っ張る構造とすることも可能である。
【００２９】
また、上記リフィール２０は、インクを収容した長尺状のインク収容管の先端に、筆記部２１としてのボールペンチップを嵌合してなる周知のボールペン用リフィールである。
また、上記リフィール２０’は、長尺状の鉛芯収容管の先端に、鉛芯繰出し機構、および筆記部２１’としての鉛芯送出管を具備した周知のシャープペンシル用リフィールである。
【００３０】
そして、上記構成の押子４０の接続部４２には、断面略Ｕ字状の板バネ４４を介して、クリップ５０が一体的に取付けられている。
板バネ４４は、その一端側を押子４０の接続部４２に嵌合させるとともに、その他端側をクリップ５０の後端側に貫通させて、クリップ５０の後端側を、係止突起４３側へ弾性的に押圧している。
そして、クリップ５０は、その後端側が軸筒１０中心へ向かって押圧されることで、その前端側を揺動させて軸筒１０から離間させるように、前記係止突起４３に対し凹凸状に嵌り合って支持されている。
【００３１】
クリップ５０の前端側の構成について詳細に述べれば、該クリップ５０の前端側の裏面には、クリップ５０の後退位置において、軸筒１０側の補助玉部１３と対抗する位置に、玉部５１が設けられ、更に、該クリップ５０の最先端部の裏面には、突部５２が設けられている。
【００３２】
前記玉部５１は、軸筒１０へ向かって突出する山形板状の突曲部５１ａを、軸筒周方向に所定間隔を空けて２つ略平行に配設してなり（図２参照）、これら突曲部５１ａ，５１ａの間に軸筒１０の補助玉部１３が挿入されるようにしている。
【００３３】
また、突部５２は、押子４０が係止部１２に係止された際に、軸筒１０の外周面に対し接触するように、軸筒求心方向へ向かって突出している。
この突部５２は、その形状を詳細に述べれば、玉部５１の両突曲部５１ａ，５１ａを前方へ延長した場合に形成される仮想延長部５１ａ’，５１ａ’に対し、その軸筒周方向両側に位置する両側部５２ａ，５２ａと、これら両側部５２ａ，５２ａを、その前端側で連結する連結部５２ｂとから略一体的に形成され、図示例の好ましい一例によれば、平面視略Ｕ字状に形成されている（図１参照）。
そして、これら両側部５２ａ及び連結部５２ｂからなる突部５２の突端面ａ、すなわち軸筒１０外周面に対向する面は、被挟持物ｘとの接触面積を増やすように、略平坦状に形成されている。
【００３４】
次に、上記構成の出没式筆記具Ａについて、その作用効果を詳細に述べる。
クリップ５０を付勢部材６１の付勢力に抗して前方へスライドさせると、該クリップ５０と一体的な押子４０が軸筒求心方向へ沈みこみ、該押子４０後端の係止突起４３が軸筒１０周壁の係止部１２に係止され、クリップ５０前端の突部５２の突端が軸筒１０外周面に接触し、筆記部２１’の突出状態が維持される（図１（ｂ）参照）。
この状態で、例えば使用者の指等がクリップ５０の先端側に触れ、クリップ５０の先端側が軸筒求心方向へ押圧されたとしても、クリップ５０裏面の突部５２が軸筒１０の外周面に接触しているため、クリップ５０及び押子４０の後端側が玉部５１と軸筒１０外周面との接点を支点にして軸筒遠心方向へ持ち上げられて、押子４０の係止突起４３が係止部１２から外れてしまうのを、防ぐことができる。
【００３５】
また、前記した筆記部２１’の突出状態を解除する際には、クリップ５０と一体的な押子４０以外の他の押子３０を、前方へスライドさせればよい。他の押子３０を前方へスライドさせると、スライドした押子３０が押子４０に干渉し、押子４０が軸筒遠心方向へ移動するため、押子４０後端の係止突起４３が係止部１２から外れ、クリップ５０及び押子４０が付勢部材６１に付勢されて後退し、筆記部２１’が軸筒１０の先端内部へ没入する。
【００３６】
次に、クリップ５０が後退位置にある際（図１（ａ）の状態）に、クリップ５０と軸筒１０との間に被挟持物ｘを挟持した場合の作用効果について説明する。
クリップ５０と軸筒１０外周面との間に被挟持物ｘを挟持する際には、指等によりクリップ５０の後端側を軸筒求心方向へ押圧して、クリップ５０の前端側と軸筒１０との間を広げ、その広がった間に被挟持物ｘを挟み込むようにしてもよいし、あるいは、クリップ５０前端の突部５２と軸筒１０外周面との隙間ｓに被挟持物ｘを挿入し、該被挟持物ｘを押し込むようにして玉部５１と補助玉部１３との間に挟み込ませるようにしてもよい、
【００３７】
クリップ５０と軸筒１０との間に被挟持物ｘが挿入され挟持されると、その被挟持物ｘは、軸筒軸方向においては、玉部５１と突部５２との２箇所で押圧されることになる（図４参照）。
【００３８】
更に、同被挟持物ｘは、玉部５１の箇所においては、該玉部５１を構成する二つの突曲部５１ａ，５１ａにより押圧されるとともに、その逆側から補助玉部１３によっても押圧されることになる。
また、同被挟持物ｘは、突部５２の箇所においては、該突部５２を構成する両側部５２ａ，５２ａによって、軸筒周方向へわたる二箇所の部分が押圧され（図５参照）、更に、連結部５２ｂによっても押圧される。
【００３９】
すなわち、挟持された被挟持物ｘは、玉部５１、補助玉部１３、突部５２における両側部５２ａ，５２ａ、連結部５２ｂ等の複数の突起により、軸筒軸方向および軸筒周方向へわたって複数箇所で押圧され、その上、突部５２の略平坦状の突端面ａに対し比較的広く接触するため、容易に引き抜けてしまうことがない。
【００４０】
なお、上記実施の形態によれば、玉部として、クリップ５０側の玉部５１と、軸筒１０側の補助玉部１３とを備えた好ましい態様としたが、何れか一方の玉部を省いた構成とすることも可能である。
【図面の簡単な説明】
【００４１】
【図１】本発明に係わる出没式筆記具の一例を示す断面図であり、（ａ）は筆記部を突出させた状態を示し、（ｂ）は筆記部を没入させた状態を示す。
【図２】クリップの要部を裏面側から視た斜視図である。
【図３】クリップの要部を裏面側から視た平面図である。
【図４】クリップと軸筒との間に被挟持物を挟んだ状態を示す要部側面図である。
【図５】図４における(IV)-(IV)線断面図である。
【図６】従来の出没式筆記具の一例を示す断面図であり、（ａ）は筆記部を突出させた状態を示し、（ｂ）は筆記部を没入させた状態を示す。
【符号の説明】
【００４２】
１０：軸筒
１２：係止部
２１，２１’：筆記部
３０，４０：押子
５０：クリップ
５１：玉部
５１ａ’：仮想延長部
５２：突部
５２ａ：両側部
５２ｂ：連結部
６１：付勢部材
Ａ：出没式筆記具
【図１】
0004704885.tif 000002
【図２】
0004704885.tif 000003
【図３】
0004704885.tif 000004
【図４】
0004704885.tif 000005
【図５】
0004704885.tif 000006
【図６】
0004704885.tif 000007